Podtech/llm-jp-corpus-v4-ja_patent huggingface dataset:
(57)【要約】【目的】従来の跳ね上げバネ式手帳用リングバインダを、跳ね上げバネを廃し、よりコンパクトにする。【構成】バインダ本体１の側部にスリット４付きのストッパー３を取り付け、リング部２が開かないよう固定する。リングを開く際は、リング部をスライドさせてリング部をストッパーのスリットに合わせて開く。【選択図】　図１
2004050801.tif 000002
【特許請求の範囲】
【請求項１】
リング部をスライドさせ、ストッパーを外して開閉する、手帳用リングバインダ
【発明の詳細な説明】
【０００１】
【発明の属する技術分野】
本発明は、手帳リング自身をスライドし、ストッパーを外して開閉する手帳用リングバインダである。
【０００２】
【従来の技術】
従来、観音開きの手帳用リングバインダは、跳ね上げ式のバネにより開閉する方式が主であった。このため、バネや開閉用レバーのスペースの確保が必要であった。
【０００３】
【発明の実施の形態】
本発明は、跳ね上げ式バネを用いずに、ストッパーを採用することにより、リングの観音開きの形態を維持し、かつコンパクトにした、手帳用リングバインダで、それを図面について説明すれば、バインダ本体１の側部にスリット４付きのストッパー３を取り付け、リング部２が開かないよう固定したものである。リングを開く際は、リング部をスライドさせてリング部をストッパーのスリットに合わせて開く。
【０００４】
【発明の効果】
このようにすれば、手帳用リングバインダを、紙の交換が容易な観音開きのまま更にコンパクトにすることが可能となる。
【図面の簡単な説明】
【図１】リングバインダを上面から見た図である。
左図通常時
中央図リング部スライド時
右図リング開放時
【図２】リングバインダを、ストッパー側の側面から見た図である。
左図通常時
中央図リング部スライド時
右図リング開放時
【図３】リングバインダを底辺の側面から見た図である。
左図通常時
中央図リング部スライド時
右図リング開放時
【符号の説明】
１リングバインダ本体
２リング部
３ストッパー
４ストッパーのスリット
【図１】
2004050801.tif 000003
【図２】
2004050801.tif 000004
【図３】
2004050801.tif 000005
(57)【要約】【目的】書籍等の内容を容易に参照することができる現在の立ち読みを防止することや書類関連を配布先の人以外に閲覧されにくいようにすることなど。【構成】書籍等本体に一体化した構造にて、内容参照を防止したい頁を覆う構造を持ち、参照を行う際には、容易に接合部分から開封することが可能な機能を有した構成。【選択図】　図１
2004050805.tif 000002
【特許請求の範囲】
【請求項１】
印刷された出版物、書籍、雑誌もしくは複数の頁から構成された印刷物や複写された書類等において、その内容を参照するなどの場合に、中身の頁を開くために必要な作業を行ったことが判るために、本印刷物等自体に施された、自然又は故意によらない現象にて中身の頁が開かないための加工技術。
【発明の詳細な説明】
【０００１】
【産業上の利用分野】
本発明は、複数の頁から構成される雑誌、書籍、会報誌、回覧、フリーペーパー、カタログ、チラシ等を出版もしくは印刷を行う分野および会社や家庭等において複数頁を印刷や製本等の加工される分野もしくは、書籍等の販売を行う書店関係において利用される。
【０００２】
【従来の技術】
従来は、書店で本の立ち読みを行う場合、容易に中身を参照することができた。
また、一部の書籍等では、その本自体の加工では無く、袋状の保護をして中身を閲覧できないようにした。
【０００３】
【発明が解決しようとする課題】
書店等で頻繁に発生している、書籍等の購入を行わずに中身を参照する行為よる問題と自然現象や他の者による影響で中身が開いてしまわないようにすることで情報の漏洩を防止する。
また、本来中身を参照すべき人が、他の者が中身を参照したか否やかを把握することもできる。
【０００４】
【課題を解決するための手段】
書籍等の表紙および裏表紙を当該書籍を製作する際に繋ぎ合わせる等の加工を施し、さらに繋ぎ合せた部分をミシン目加工等を付加して、書籍の中身を参照しようとする場合に、ミシン目の部分を切り取る等の手段にて開くことが容易に可能となる。
さらに、書籍等の加工に際し、表紙と裏表紙の組み合わせ以外にも同様の加工を行うことで、製作者等が封を行いたい部分のみに加工することも可能である。
【０００５】
【作用】
本発明により、従来容易に書籍類の立ち読みや書類等の閲覧ができてしまっていたものが、参照するためには開封という工程を行わなければならないため、未然に防止することが可能となる。
【０００６】
【実施例】
本発明品実施例は、第１図に内容頁を参照する前の雑誌図の構成を記載する。（Ａ）の表紙面と（Ｅ）の裏表紙面を接合することにより、完全に雑誌全体を加工することも可能であるが、雑誌の（Ｂ）もくじを購入前に閲覧したことを考慮して（Ｄ）内容頁から（Ｅ）裏表紙面までを（Ｃ）切取り前カバーにてミシン目加工を施して、容易に開封することができるような接合を施す。
次に第２図に内容面を参照するために、（Ｆ）切取り部分をミシン目に沿いながら取り外すことで、内容参照を行うことが確認できる。
尚、本発明品実施例は、取り外された（Ｆ）切取り部分と雑誌本体は製作時点で一体化した書籍である。
【０００７】
【発明の効果】
本発明品実施例の雑誌を書店等において導入することで、当該雑誌の購入を行わなく、単に雑誌の内容閲覧を目的とした、いわゆる立ち読みを未然に防ぐことが可能となり、結果として、雑誌の品質低下による損害などを少なくすることも可能となる。
【図面の簡単な説明】
【図１】本発明品の斜視図である。
【図２】本発明品の取り外し斜視図である。
【符号の説明】
Ａ　表紙面
Ｂ　もくじ頁
Ｃ　切取り前カバー
Ｄ　内容頁
Ｅ　裏表紙面
Ｆ　切取り部分
【図１】
2004050805.tif 000003
【図２】
2004050805.tif 000004
(57)【要約】【課題】定型ハガキの郵便料金で送れる、官製ハガキの３倍の記載面を持ち、プライバシーの守れるハガキ作成の用紙を提供する。【解決手段】縦１５，４ｃｍ横２１，４ｃｍ重さ６ｇ以下の紙（０）のフチに切取り部分（１）を設け、内側にミシン目（２）を刻み切取り部分（１）に水糊（３）を塗布、乾燥させ、そして、横が１０，７ｃｍになるように縦に折込線（４）を設けたことを特徴とする。【選択図】　　図１
2004050806.tif 000002
【特許請求の範囲】
【請求項１】
縦１５．４ｃｍ横２１．４ｃｍ重さ６ｇ以下の紙（０）のフチに切取り部分（１）を設け、内側にミシン目（２）を刻み、その部分に水糊（３）を塗布、乾燥させ、中心に折込線（４）を設けた官製ハガキの３倍の記載面を持つプライバシーの守れるハガキ作成の用紙。
【発明の詳細な説明】
【０００１】
【発明の属する技術分野】
この発明は、定型ハガキの郵便料金で送れ、官製ハガキの３倍の記載面を持つプライバシーの守れるハガキ作成の用紙に関するものである。
【０００２】
【従来の技術】
従来は、ハガキ作成用紙で自作した場合、内容が丸見えであった。又、印刷やコピーで加工が出来なかった。
【０００３】
【発明が解決しようとする課題】
これには、次のような欠点があった。
（イ）手書きや印刷、コピーした内容が全て丸見えで、プライバシーが守られなかった。
（ロ）手書きや印刷、コピーが出来る面が裏面しかなく、多くの内容が記載できなかった。
本発明は、これらの欠点を除くためになされたものである。
【０００４】
【課題を解決するための手段】
紙（０）のフチに切取り部分（１）を設け、内側にミシン目（２）を刻む。
そして、その部分（１）に水糊（３）を塗布する。
本発明は、以上のような構成からなる、官製ハガキの３倍の記載面を持つ、プライバシーの守れるハガキ作成の用紙である。
【０００５】
【本発明の実施の形態】
以下、本発明の実施の形態について説明する。
（イ）縦１５，４ｃｍ横２１，４ｃｍ重さ６ｇ以下の紙（０）のフチに切取り部分（１）を設け、内側にミシン目（２）を刻む。
（ロ）切取り部分（１）に水糊（３）を塗布し乾燥させる。
（ハ）横１０，７ｃｍになるように縦に折込線（４）を設ける。
本発明は以上のような構造で、これを使用するときは、面（５）・（６）に見られたくない内容を記載し、切取り部分（１）の水糊（３）を水で湿らせ折込線（４）を中心に二つ折りにして、面（５）・（６）の切取り部分を圧着させる。面（７）にも官製ハガキ同様、記載できる。
また、面（５）・（６）を見るときは、切取り部分（１）をミシン目（２）に沿って切り離して開封する。
【０００６】
【発明の効果】
このように、面（５）・（６）に記載した内容は、簡単には見られずプライバシーが守られ、かつ、記載面が３面もあるにもかかわらず定型ハガキと同じ郵便料金で送る事が出来る。
【図面の簡単な説明】
【図１】本発明の正面図である。
【図２】本発明の使用状態を示す側面図である。
【符号の説明】
０　用紙本体　　　　　３　水糊　　　　　　６　記載面
１　切取り部分　　　　４　折込線　　　　　７　記載面
２　ミシン目　　　　　５　記載面
【図１】
2004050806.tif 000003
【図２】
2004050806.tif 000004
(57)【要約】【課　題】ドアフレームのコーナ部に添わせて設けられ、コーナ部を覆うヒレがドアフレームより浮き上がって隙間ができるのを防止し、外観性能を確保することができる自動車のドアガラスランを提供する。【解決手段】コーナ部に装着される型成形部２と、型成形部２と共に型成形され、ドアフレーム５のコーナ部を覆うヒレ４を有するドアガラスランにおいて、ヒレ４の周縁部中央の裏面にフック状の係止部１１を一体形成する。ドアフレーム５にドアガラスラン３を装着したのち、係止部１１に向けてガーニッシュ７端を引掛けて係止し、ガーニッシュ７を組付け、ヒレ４が浮き上がらないようにする。【選択図】　図５
2004050881.tif 000002
【特許請求の範囲】
【請求項１】
自動車のドアフレーム５内周面に組付けられるドアガラスラン３であって、ドアフレーム５のコーナ部に装着される型成形部２と、該型成形部２と共に型成形され、ドアフレーム５のコーナ部を覆うヒレ４を有し、該ヒレ４は、裏面の周縁部全体或いは周縁部の一部にドアフレーム側の被係止部に係止してヒレ４が浮き上がるのを防止する係止部１１を設けたことを特徴とするドアガラスラン。
【請求項２】
ドアフレーム５には、ガーニッシュ７が取付けられ、ドアフレーム周縁に被さって突出するガーニッシュ７の折曲端を被係止部としたことを特徴とする請求項１記載のドアガラスラン。
【発明の詳細な説明】
【０００１】
【発明が属する技術分野】
本発明は、自動車のドアフレーム内周面に組付けられるドアガラスランに関する。
【０００２】
【従来技術】
この種のドアガラスランには、図１のＡで示すコーナ部にドアフレームを覆って、その端部を隠したり、ドアフレームとの一体感を向上させるためにヒレを設けたものがある。図２は、その一例を示すもので、ドアフレーム内周面に装着される押出成形部１と、押出成形部１を接続し、コーナ部に装着される型成形部２よりなるドアガラスラン３のコーナ部に、型成形部２と共に型成形され、ドアフレームのコーナ部を覆うヒレ４をドアガラスラン３のインナー側に設けている。
【０００３】
図３は、ドアフレーム５に装着したドアガラスランのコーナ部の断面（図２のＡ−Ａ線断面）形状を示すもので、図中、６はドアガラス、７はガーニッシュを示す。
【０００４】
【発明が解決しようとする課題】
図２に示すドアガラスランをドアフレーム５に組み付けたとき、ヒレ４は図３に示すようにドアフレーム５のコーナ部に添わせてあるだけのため、ヒレ４がドアフレーム５より浮き上がって先端に隙間ｃができ、外観が損なわれることがあった。
【０００５】
本発明は、上記の問題を解消し、コーナ部に添わせ、コーナ部を覆うヒレがドアフレームより浮き上がって隙間ができるのを防止し、外観性能が損なわれることがないようにした自動車のドアガラスランを提供することを目的とする。
【０００６】
【課題の解決手段】
請求項１に係わる発明は、自動車のドアフレーム内周面に組付けられるドアガラスランであって、ドアフレームのコーナ部に装着される型成形部と、該型成形部と共に型成形され、ドアフレームのコーナ部を覆うヒレを有し、該ヒレは、裏面の周縁部全体或いは周縁部の一部にドアフレーム側の被係止部に係止してヒレが浮き上がるのを防止する係止部を設けたことを特徴とする。
【０００７】
本発明のガラスランは、ヒレに係止部を設けるだけで、しかもこの係止部はヒレの裏面に設けられるためヒレの表面形状は従来のものと比べ何等変わりがない。
本発明の係止部は、図５に示すガーニッシュ７端に係止する断面フック状をなすものが望ましい。
【０００８】
請求項２に係わる発明は、請求項１に係わる発明において、ドアフレームには、ガーニッシュが取付けられ、ドアフレーム周縁に被さって突出するガーニッシュの折曲端を被係止部としたことを特徴とする。
本発明によると、ガーニッシュ端が被係止部となり、ドアフレーム側に被係止部を新たに設ける必要がなくなる。
【０００９】
【発明の実施の形態】
図４及び図５は、図２及び図３と同様、ドアフレーム内周面に装着される、本発明に係わるガラスランのコーナ部と、その断面形状を示すもので、図２及び図３に示すガラスランと同一構造のものは、同一符号で示し、その説明は省略する。
【００１０】
ヒレ４の周縁分中央の裏面には、フック状の係止部１１が一体形成され、ドアフレーム５へドアガラスラン３を装着したのち、コーナ部のヒレ裏面の係止部１１へ向けてガーニッシュ７端を引掛けて係止させ、ガーニッシュ７を組付ける。これによりヒレ４の浮き上がりを生じないようにしている。
【００１１】
【発明の効果】
請求項１記載の発明によると、ドアフレームのコーナ部に添わせ、コーナ部を覆うヒレの浮き上がりを、ドアガラスランの外観上は従来のものと何等変わりなく防止することができ、外観性能を確保することができる。
請求項２記載の発明によると、被係止部としてドアフレームに取付けられるガーニッシュを利用することにより構造を簡単にし、コスト増を防ぐことができる。
【図面の簡単な説明】
【図１】自動車の側面図。
【図２】ヒレを備え、コーナ部に装着されるドアガラスランの斜視図。
【図３】図２のＡ−Ａ線断面図。
【図４】本発明に係わるドアガラスランの断面図。
【図５】図４のＢ−Ｂ線断面図。
【符号の説明】
１・・押出成形部
２・・型成形部
３・・ドアガラスラン
４・・ヒレ
５・・ドアフレーム
６・・ドアガラス
７・・ガーニッシュ
１１・・係止部
ｃ・・隙間
【図１】
2004050881.tif 000003
【図２】
2004050881.tif 000004
【図３】
2004050881.tif 000005
【図４】
2004050881.tif 000006
【図５】
2004050881.tif 000007
(57)【要約】【課題】金型精度及び金型寿命を同時に向上させることが可能な金型とその製造方法を提供する。【解決手段】ニッケル又はニッケル合金からなる基体２に金型パターン２Ａが設けられ、金型パターンの表面には、タンタル、クロム、又はチタンのいずれかからなる金属層４が形成され、金属層の表面には、該金属の酸化層６が形成された金型１０である。【選択図】　　図１
2004050693.tif 000002
【特許請求の範囲】
【請求項１】
ニッケル又はニッケル合金からなる基体に金型パターンが設けられ、
前記金型パターンの表面には、タンタル、クロム、又はチタンのいずれかからなる金属層が形成され、
前記金属層の表面には、該金属の酸化層が形成されていることを特徴とする金型。
【請求項２】
ニッケル又はニッケル合金からなる基体に設けられた金型パターンの表面に、タンタル、クロム、又はチタンのいずれかからなる金属層を形成する第１工程と、
前記金属層の表面を酸化する第２工程と
を含むことを特徴とする金型の製造方法。
【発明の詳細な説明】
【０００１】
【発明の属する技術分野】
本発明はプラスチック成型等に用いる金型とその製造方法に関する。
【０００２】
【従来の技術】
この種の光学部品用プラスチック成型金型では、金型の形状精度を確保すること、及び金型の耐久性を確保することが重要な要素の一つとなっている。そして、この目的のため、通常はダイヤモンド・ライク・カーボン膜やクロム膜などを金型基体の表面にコーティングする手法が採用されている。
【０００３】
【発明が解決しようとする課題】
しかしながら、上記ダイヤモンド・ライク・カーボン膜の場合、膜自体の表面粗さが大きいために、金型の微細なパターンを荒らす結果となり、それに伴って成形品へのパターン転写の不良という問題を生じる。又、上記クロム膜の場合、硬度が低いので耐久性が不足し、金型寿命が短いという問題がある。
【０００４】
特に、今後急速に微細化が進む光ピックアップレンズ用金型への適用を考えた場合、上記ダイヤモンド・ライク・カーボン膜はコーティング費用が大となり、上記クロム膜は金型寿命を低下させるので生産効率が悪くなる。
【０００５】
本発明は、上記した問題点に鑑みてなされたもので、金型精度及び金型寿命を同時に向上させることが可能な金型とその製造方法を提供することを目的とする。
【０００６】
【課題を解決するための手段】
上記した目的を達成するために、本発明の金型は、ニッケル又はニッケル合金からなる基体に金型パターンが設けられ、前記金型パターンの表面には、タンタル、クロム、又はチタンのいずれかからなる金属層が形成され、前記金属層の表面には、該金属の酸化層が形成されていることを特徴とする。
【０００７】
本発明の金型の製造方法は、前記基体に設けられた金型パターンの表面に、前記金属層を形成する第１工程と、前記金属層の表面を酸化する第２工程とを含むことを特徴とする。
【０００８】
【発明の実施の形態】
以下、本発明について各図を参照して説明する。図１は本発明にかかる金型の一実施形態を示す断面図である。
この図において、ニッケル又はニッケル合金からなる基体（基板）２の上面側に金型パターン２Ａが刻設されている。そして、金型パターン２Ａの表面には金属層４、酸化層６がこの順で形成され、全体として金型１０が構成されている。
【０００９】
金属層４は、例えばスパッタリング等により形成され、基板２の表面変質層による欠陥（表面凹凸）を緩和し、その凹凸を反映させないことで、金型表面を平滑にし、金型精度を向上させる機能を有する。ここで、基板２の上記欠陥は、表面粗さで最大約１０ｎｍであるので、金属層４の厚みを好ましくは５０ｎｍ程度以上とすれば、欠陥は殆ど消失する。なお、金属層として、タンタル、クロム、又はチタンのいずれかを用いるのは、下地のニッケルまたはニッケル合金との付着力が強く、かつ容器に酸化膜が形成でき、その酸化膜が非常に硬い性質を有するためである。
【００１０】
酸化層６は、金属層４を構成する金属の酸化物からなり、化学的に安定で硬いために金型の耐久性を高めることができる。酸化層４の厚みは１０ｎｍ以下程度とすればよい。酸化層は、例えば上記金属層を酸素プラズマ処理して強制的に酸化して形成すればよく、このようにすると、金型パターンの表面に一様な化学的安定層を形成できる。
【００１１】
次に、本発明の金型の製造方法の一例について、図２を参照して説明する。この図において、まず、基板２の金型パターンが形成された表面（図の上面）に金属層を例えばスパッタリングで形成する（第１工程、図２（１））。金属層の形成厚みは、下地の基板２の表面欠陥（凹凸）が認められなくなる程度とし、又、酸化層に転化させる分だけ余分に形成すればよい。例えば、例えば第１工程で金属層を６０ｎｍ形成しておき、表層の１０ｎｍを酸化層に転化させれば、最終的な金属層は５０ｎｍとなる。
【００１２】
次に、金属層４の表層部分を例えば酸素プラズマ法により酸化し、表層から深部へ向かって酸化層６を形成する（第２工程、図２（２））。このようにして、基板の欠陥を金属層で緩和するとともに、最表面の酸化層により金型の耐久性を向上させている。又、金属層を酸化して酸化層に転化させた場合、層形成が一度で済み、生産効率が向上する。
【００１３】
なお、本発明は上記各実施例に限定されず、本発明の技術思想の範囲内において、各実施例は適宜変更され得ることは明らかである。
【００１４】
【発明の効果】
以上説明したように、本発明によれば、金属層により、ニッケル又はニッケル合金に由来する基体の金型パターン表面の欠陥を緩和するので、金型パターン表面が平滑化し、金型精度を向上させることができる。そして、金型パターンの最表面に、化学的に安定で硬い酸化層が形成されているので、金型の耐久性を高めることができる。
【図面の簡単な説明】
【図１】本発明の金型の一実施形態を示す断面図である。
【図２】本発明の金型の製造方法の一実施形態を示す工程図である。
【符号の説明】
２　　　　　　　基体
２Ａ　　　　　　金型パターン
４　　　　　　　金属層
６　　　　　　　酸化層
１０　　　　　　金型
【図１】
2004050693.tif 000003
【図２】
2004050693.tif 000004
(57)【要約】【課題】布で巻いた保冷剤を伸縮性のあるベルトで、首の周りに巻きつけることなく首の後ろに固定させるための襟足冷却用保冷剤入れ用具を提供する。【解決手段】多角形の布の対角になる２隅に伸縮性のあるベルトの両端をそれぞれ取り付け、この布で保冷剤を巻き、首の周りに巻きつけることなく、首の後ろに固定させることを特徴とする。【選択図】　　図１
2004044051.tif 000002
【特許請求の範囲】
【請求項１】
多角形の布（１）の対角になる２隅に伸縮性のあるベルト（２）の両端をそれぞれ取り付け、その布（１）で保冷剤（３）を巻き込み、それを首の周りに巻きつけることなく、首の後ろに固定させる襟足冷却用保冷剤入れ用具。
【請求項２】
多角形の布（１）の対角になる２隅に伸縮性のあるベルト（２）の両端をそれぞれ取り付け、残りの１隅を折って三角形を作り、出来た三角形の底辺に垂直に２箇所を下の布と一緒に縫い止めポケット（４）にした、請求項１の襟足冷却用保冷剤入れ用具。
【請求項３】
多角形の袋（５）の対角になる２隅に伸縮性のあるベルト（２）の両端をそれぞれ取り付けた、請求項１の襟足冷却用保冷剤いれ用具。
【発明の詳細な説明】
【０００１】
【発明の属する技術分野】
この発明は保冷剤を布で巻いて、伸縮性のあるベルトで首の周りに巻きつけることなく首の後ろに固定させ、襟足を冷やす為の保冷剤を入れる用具に関するものである。
【０００２】
【従来の技術】
襟足を冷却する為には従来、以下のような技術があった。
▲１▼保冷剤にベルトが直接取り付けてあり、それに布のカバーが付いていて、それを首に巻きつけて使用するものであるが、襟足を冷却する為に首に巻くと保冷剤の重みで喉が苦しくなる。また運動したりすると、首の周りで動き固定されず不便である。
▲２▼内蔵されている保水材に水を含ませて、その水の気化する際に生じる吸熱作用によって冷却するネックバンドがあるが、炎天下で運動するとすぐに乾いてしまうし、首の周りに巻いて使用するので、首の後ろに固定させる為には喉を圧迫するので苦しい。
▲３▼ベルトの一部にベルトの幅以下の大きさの袋を取り付け、保冷剤を入れて首に巻きつける保冷具があるが、首に巻く為には、ベルトの幅を広くするわけには行かず、したがって保冷剤も小さなものしか使用できない。又、首に巻くので苦しい。
【０００３】
【発明が解決しようとする課題】
これらにはそれぞれ次のような欠点があった。
▲１▼　イ　保冷剤にベルトが直接付いているので、保冷剤の形や大きさが限定される。
ロ　首の後ろに当たるように巻くと、保冷剤の重みで喉が圧迫され苦しくなる。
ハ　首の後ろで固定されていないので、運動すると首の周りで動き、不便である。
▲２▼　イ　炎天下で運動したりするとすぐに乾いてしまい、冷却効果が少ない。
ロ　首に巻いて使用するので、保冷剤を首の後ろに固定させるには喉を圧迫するので苦しい。
▲３▼　イ　首に巻く為ベルトの幅以下の大きさに入れる保冷剤は、小さなものしか使用できない。
ロ　首に巻いて使用するので、保冷剤を首の後ろに固定させるには喉を圧迫するので苦しい。
本発明は、以上の欠点を解決するためになされたものである。
【０００４】
【課題を解決するための手段】
多角形の布（１）の対角になる２隅に伸縮性のあるベルト（２）の両端をそれぞれ取り付ける。
本発明は、以上の構成よりなる。その布（１）で保冷剤（３）を巻いて、
それを首に巻きつけることなく、首の後ろに固定させるようにした。
【０００５】
【発明の実施の形態】
以下、本発明の実施の形態を説明する。
多角形の布（１）の対角になる２隅に伸縮性のあるベルト（２）の両端をそれぞれ取り付ける。こうすると、布（１）とベルト（２）で輪ができる。
本発明は以上の構成によりなっている。
本発明を使用する時は、布（１）のベルト（２）のついていない隅を使って保冷剤（３）を包み込んで布（１）をくるくると巻く。ベルト（２）は背中から脇の下を通るように、保冷剤（３）を巻いた布（１）は胸の正面に来るように頭から被る。そして、布（１）で巻いた保冷剤（３）を両手で持って、頭の上を通り首の後ろまで持っていく。そうすることにより、ベルト（２）は肩の付け根付近から脇の下を通り背中を横切ることになる。保冷剤（３）は首の後ろに固定され、喉には何も当たらないので苦しくない。
ベルト（２）は伸縮性のあるものを使用するので、身体の動きにあわせて伸縮する。従って、保冷剤（３）がずれることがなく、運動しても何の支障もない。この用具の着脱動作も楽になる。ベルト（２）を取り付ける２隅を布（１）がバイヤスになるようにすると布（１）に伸縮性が生じ、なお効果が増すことになる。
ベルト（２）を取り付けた布（１）の部分が三角形になることにより、保冷剤（３）の重みを一点で支えるのではなく、分散して支えることが出来るので、前肩にかかる負担が少なくなる。
保冷剤（３）を布（１）でしっかり巻けば、中で動いたりせずに安定するし、保冷剤（３）の大きさや形や数も限定されることがない。
また、布（１）の１隅を使って保冷剤（３）を入れる為のポケット（４）を作ってもよい。
その他に、布（１）のかわりに、多角形の袋（５）の対角になる２隅に伸縮性のあるベルト（２）の両端をそれぞれ取り付けても、同じ効果がある。この場合、ふくろ（５）にはファスナーやスナップや着脱用テープ等を取り付けると保冷剤（３）の収まりがよい。
又、伸縮性のあるベルト（２）は、長さが調節できるようにしてあると、
身体の大きさに合わせられるので便利である。
【０００６】
【発明の効果】
本発明を使用することによって、首に巻きつけることなく、保冷剤を首の後ろに固定できるので苦しくなく襟足を冷却でき、運動してもずれたりすることがない。
【図面の簡単な説明】
【図１】本発明の正面図である。
【図２】本発明の使用正面図である。
【図３】本発明の他の応用例正面図である。
【図４】本発明の他の実施例正面図である。
【図５】本発明の使用状態を示す図である。
【あ】は斜視図である。
【い】は正面図である。
【う】は背面図である。
【符号の説明】
１は布
２はベルト
３は保冷剤
４はポケット
５は袋
【図１】
2004044051.tif 000003
【図２】
2004044051.tif 000004
【図３】
2004044051.tif 000005
【図４】
2004044051.tif 000006
【図５】
2004044051.tif 000007
(57)【要約】【課題】樹脂の染色の色合せが容易な染料を無駄にしない染色方法を得ること、及び正確な色合せの製品を得ること。【解決手段】赤、青、黄色の三原色で順次染色し、各色の染色時間又は染色回数を変えて色合せする。【特許請求の範囲】
【請求項１】
赤、青、黄色の三原色で樹脂を順次染色し、各色の染色時間を変えて色合せすることを特徴とする染色方法。
【請求項２】
請求項１に記載した方法で染色したことを特徴とする金属に樹脂コーティングした金具。
【発明の詳細な説明】
【０００１】
【発明の属する技術分野】本発明は、樹脂の染色方法に属する。
【０００２】
【従来の技術】ブラジャーやスリップのアジャスターは金属に樹脂をコーティングしたものを、色合せした染料に浸漬して染色している。アジャスターは布地に合せて色合せするが、布地の色が多くなり、布地と区別つかないぴったりの色合せが要求されるので色合せが難しく時間がかかっていた。そして、染色工程が全体の工程進捗のネックになっていた。また、染色後余った染料は捨てられ無駄になっていた。
【０００３】
【発明が解決しようとする課題】樹脂の染色の色合せを容易にし、染料を無駄にしない染色方法を得ること、及び、正確な色合せの製品を得ること。
【０００４】
【課題を解決するための手段】赤、青、黄色の三原色で順次染色し、各色の染色時間又は染色回数を変えて色合せする。管理ポイントは、染料液の濃度、温度、染色時間である。
【０００５】
【発明の実施形態】赤、青、黄色の一定濃度、一定温度の染色液を用意し、それぞれの液に浸漬する時間により色合せする。様々な色は三原色から作れるので、染色液は変えずに使うことができ、無駄に捨てられることは無い。
【０００６】例えば、ナイロンコーティング品で薄紫を出すには、赤５４０秒、青２４０秒、黄３０秒位であり、濃い赤紫では赤６００秒、青９０秒、黄１２０秒位である。色合せはこのように時間で調節する。また、微妙に色が合わない、例えば赤味が不足しているときは、赤の液に適時追加浸漬して色合せする。次回以降も同じ色目の物を作るには、濃度、温度、時間を記録しておけば再現でき、管理は容易である。
【０００７】染色された層は、色合せした液で染めた物と比べて、染色時間が異なるために染色層が厚く、表面から内部にかけて色の薄くなり方が緩やかである。従って磨耗に耐え、退色性が良い。
【０００８】
【発明の効果】本発明により、色合せが容易な染料を無駄にしない染色方法が確立できる。また、多色化し、小ロット化したアジャスターの正確な色合せの製品が素早くできる。
(57)【要約】【課題】本発明は、２本の皮紐に、シルバーボールやビーズ、貝殼などを嵌挿し、ブラジャーのストラップの機能と合わせ、胸元の装飾が見せられることができるブラジャー首掛け装飾ストラップを提供することを目的としている。【解決手段】２本の皮紐にシルバーボールを摺動自在に嵌挿して、その２本の皮紐の一端にストラップフックを取り付け、ストラップフックに近接する２本の皮紐に、複数個のビーズとゴールドボールを嵌挿し、チェーンで貝殼を取り付け摺動自在となる装飾部を設け、２本の皮紐の他端にビーズとゴールドボール、そして貝殼をそれぞれ取り付けている。【選択図】　　図１
2004044052.tif 000002
【特許請求の範囲】
【請求項１】
２本の皮紐にシルバーボールを摺動自在に嵌挿して、その２本の皮紐の一端にストラップフックを取り付け、ストラップフックに近接する２本の皮紐に、複数個のビーズとゴールドボールを嵌挿し、チェーンで貝殻を取り付け摺動自在となる装飾部を設け、２本の皮紐の他端にビーズとゴールドボール、そして貝殻をそれぞれ取り付けていることを特徴とするブラジャー首掛け装飾ストラップ。
【発明の詳細な説明】
【０００１】
【発明の属する技術分野】
本発明は、装飾したブラジャー首掛けストラップに関する。
【０００２】
【従来の技術】
従来、ブラジャーのストラップは、ビーズ等で装飾したものがあったが、実用的な紐状のものが多く、ブラジャーと一体型のもの、長さ調節具が付いたもの、ストラップが取り外せるものなどがあり、下着の一部分であって、色やデザインもブラジャーに合わしたものであって、首に掛けるストラップは無かった。
【０００３】
【発明が解決しようとする課題】
従来のブラジャーのストラップは、ブラジャーに合わせ、実用的な紐状のものが多く、色やデザインもブラジャーに合わしたものであった為、下着の一部分と言う問題点があった。
【０００４】
本発明は、２本の皮紐に、シルバーボールやビーズ、貝殼などを嵌挿し、ブラジャーのストラップの機能と合わせ、胸元の装飾が見せられ、簡単に首に掛けられるブラジャー首掛け装飾ストラップを提供することを目的としている。
【０００５】
【課題を解決するための手段】
上記目的を達成するために、２本の皮紐にシルバーボールを嵌挿し、その２本の皮紐の一端にストラップフックを取り付け、ストラップフックに近接する２本の皮紐の一定範囲に、複数個のビーズとシルバーボールを嵌挿し、チェーンで貝殼を取り付けた装飾部を設け、２本の皮紐の他端にビーズとシルバーボール、貝殻を取り付けている。
【０００６】
【発明の実施の形態】
発明の実施の形態を実施例に基づき図面を参照して説明する。
図１で示す実施例では、２本の皮紐１にシルバーボール２を摺動自在に嵌挿して、その２本の皮紐１の一端にストラップフック３を取り付け、ストラップフック３に近接する２本の皮紐１に、複数個のビーズ４とゴールドボール５を嵌挿し、チェーン６で貝殻７を取り付け摺動自在となる装飾部８を設け、２本の皮紐１の他端にビーズ４とゴールドボール５、そして貝殼７をそれぞれ取り付けている。
【０００７】
上記のように構成された、ブラジャー首掛け装飾ストラップを使用において、２本の皮紐１の一端にストラップフック３、そして装飾部８を設けている方を下にして、２本の皮紐１を広げて首に挿通し、その皮紐１に摺動自在に嵌挿したシルバーボール２が首の後で係止させ、２本の皮紐１の一端に取り付けたストラップフック３をブラジャーの掛止部に掛止となっで使用できるもので、体形による装着の強弱を、首の後のシルバーボール２の摺動で容易に調整ができるものである。また、服装に合わせ装飾部８も摺動でき容易に調整ができる。
【０００８】
【発明の効果】
本発明により、下着の一部分ではなく、ブラジャーのストラップの機能に合わせ、胸元を美しく飾り見せられることができ、色やデザインも自由に出来て楽しめるものである。
【図面の簡単な説明】
【図１】本発明の実施例を示す斜視図である。
【符号の説明】
１　皮紐
２　シルバーボール
３　ストラップフック
４　ビーズ
５　ゴールドボール
６　チェーン
７　貝殻
８　装飾部
【図１】
2004044052.tif 000003
(57)【要約】　　　（修正有）【課題】在宅入浴介護時や身体清拭時に起因するヘルパーさんの手指の荒れや損傷，細菌感染を防止し，さらに洗身時の事故を予防するのに役立つ手袋を提供する。【解決の手段】ゴムやポリエチレン手袋の上に４本指だし手袋を着装する。軍手仕様の編み目で、素材は綿とした。さらに４指は第二関節に相当する長さの部分が解放され，ゴム部指先により把握力が増強されタオル等が持ち易くなり、さらに爪の間への細菌感染が防止できる。綿とゴム、ポリエチレンの素材特性を活用した。【選択図】図１
2004044048.tif 000002
【特許請求の範囲】
【請求項１】
親指の包指部は袋状とし、他の指は途中解放の指だしをした筒状の包指部と袋状を組み合わせた。羽織着き５本指靴下兼用の手袋。
【請求項２】
親指長さをＬｃｍとして、人差し指根元と親指根元との段差を３分の１Ｌｃｍ、さらに伸縮長袖部寸法を４Ｌｃｍ、指巾は２分の１Ｌｃｍの目安寸法とした請求項１の羽織着き５本指靴下兼用の手袋。
【請求項３】
表と裏、右と左及び靴下と手袋に共用できる糸尾のかがり補強加工をした請求項１及び２の羽織着き５本指靴下兼用の手袋。
【請求項４】
足のかかと部と手の腕部に相当する長袖部は巾方向に伸び縮みする。ゴム糸を通した凹凸な寄せ織りでカカトなし構造とした請求項１、２、及び３の羽織着き５本指靴下兼用の手袋。
【発明の詳細な説明】
【０００１】
【産業上の利用分野】
本発明は５本指靴下　兼用　指だし手袋に関するもので介護時に発生する滑り、冷たさを防止する。ゴム手袋やポリエステル素材の手袋等と組み合わせて用いる。羽織着き専用の介護用品。
【０００２】
【従来の技術】
ゴム手袋やポリエステル手袋を肌側に装着して、さらに羽織着で用いられる専用の５本指靴下　兼用　指だし手袋はなかった。
【０００３】
【発明が解決しようとする課題】
イ、５本指靴下と兼用できる手袋の開発
ロ、ゴム、ポリエステル等の素材で作られた手袋や靴下の上に羽織って重ね使用できる構造の物を発明する。
ハ、洗身用品として利用できる素材，編目、強度、長さ、糸の太さの用品を製作する。
ニ、安価で高品質な安全な用品を量産する。
【０００４】
【課題を解決するための手段】
イ、羽織着き５本指靴下兼用手袋とするには足のかかと部と手の袖口部を共通させる編み方の工夫をする。請求項４にて提案した。
ロ、５本指靴下での親指と手袋の親指を共用できる親指の巾とした。請求項４にて提案した。
ハ、親指の包指部は袋状とした。
ニ、親指を除く４指の包指部は途中解放の指だしをした筒状と袋状の組み合わせとした。請求項４にて提案した。
ホ、羽織着き５本指靴下兼用手袋として、人差し指根元から親指根元の段差寸法，袖長さ寸法を実施による体験で算出した施行寸法とした。請求項４にて提案した。
ヘ、高度な軍手製造技術を持った愛知県の工場に試作を依頼した。
【０００５】
【発明の実施の形態】
イ、入浴介護時にゴムやポリエチレン素材の手袋と綿１００％の羽織着き５本指靴下兼用手袋を重ねて使用する。
長袖口指だし手袋の機能を活かしてポリエチレン手袋は薄くして丈夫なので指先の感覚がそのまま生かせ細部の洗身に適している。
ロ、入浴時に浴室での滑り転倒防止に羽織着き５本指靴下兼用手袋を滑り止め靴下として使用する。浴室の中まで靴下を着装したまま入る。
ハ、絹手袋をあらかじめゴムやポリエチチル等の素材手袋の代用として装着する。さらにその上から羽織着き５本指靴下兼用手袋重ねるので絹５本指手袋の指だしとなる。、石鹸を塗布して絹手袋での手洗いが可能となる。
ニ、絹５本指靴下にπ化木酢液を含ませて乾燥させると除菌効果のある靴下が出来る。これをあらかじめ水虫予防として装着する。絹の欠点である破れ易さを防ぐ靴下として羽織着き５本指靴下兼用手袋を重ねて使用する。
【０００６】
【発明の効果】
イ、　　ゴムやポリエチレン素材の手袋をあらかじめ装着して、その上から羽織着き５本指靴下兼用手袋を重ねて用いる。介護での洗身時に伴う介護者の冷え、石鹸での手荒れ、石鹸での身体滑りなど、介護動作時でのトラブルの改善が可能となった。
ロ、介護時にゴムやポリエチレン素材の手袋は保護具として活用できる。
爪の間から入る細菌感染の防止や、爪による引っかき傷発生の防止、そして下半身の洗身時に触れる大便による手指への汚染防止にも役立つ。
ハ、ゴムやポリエチレン等の素材特性としての冷たさを綿の素材の羽織着き５本指兼用手袋の温もりとして肌に接触するからヒヤッーとしたゴムの冷たさが和らげる。
ニ、羽織着き５本指靴下兼用手袋、防水サンド手袋や靴下、絹の手袋等３種類を組み合わせることで、介護、エステ、災害予防、冷え取り、水虫の改善等が安く、安全に、安心して実施できる。
ホ、靴下で使用するとき、カカト部に当たるところは３ｍｍくらいの凹凸編み空間が出来るからカカト部でのクッション作用があって歩行時における衝撃が和らぐ。
ヘ、右と左、表と裏、靴下と手袋等に共用できるから使用するときや保管する際には便利である。毎日の生活で物を探したり，移動させる時間を少なくするのに役立つ。
ト、転倒防止として５本指靴下なので指先が動きやすく、体重のバランスがとり易い。さらに足が温かくなり足の裏の血行促進が活発となる。その結果床面への足の密着が良くなる。家庭内で発生する事故、滑り、つまずき、転倒、挫きは、高齢化に伴い増加傾向にある。足首を固定でき，保温力があるから足首のトラブル防止に役立つ。
チ、湯上りに靴下として単独使用すると、綿素材なので足裏の汗を吸い取り、通気性が良いので汗分の蒸発が活発になる。そして指と指の間での水分残留を防止できる。従って湯上り後の足冷え防止になる。足の指先を温かくするに役立つ。
リ、防水サンド靴下と足肌の間に酢と酵素を流し込み、寝ている間に酢蒸しによる水虫対策が可能になる。６ヶ月を目安に著しい改善が期待できる。
【図面の簡単な説明】
【図１】羽織着き５本指靴下兼用手袋の配寸法図
【図２】羽織着き５本指靴下兼用手袋を足に使用した図
【図３】羽織着き５本指靴下兼用手袋を手に使用した図
【図４】実施図
【図５】防水サンド手袋と靴下の姿図
【符号の説明】
１、親指長さＬｃｍ
２、親指根元から人差し指根元段差３分の１Ｌｃｍ
３、ゴム糸を通した凹凸な寄せ編み、伸縮できる長袖部、４倍のＬｃｍ
４、親指の指巾寸法２分の１Ｌｃｍ
５、親指の袋状包指部
６、途中解放した指だし筒状包指部
７、途中解放した指だし乱れ止め加工部
８、親指、ゴム、ポリエチレン部の袋状包指部
【図１】
2004044048.tif 000003
【図２】
2004044048.tif 000004
【図３】
2004044048.tif 000005
【図４】
2004044048.tif 000006
【図５】
2004044048.tif 000007
(57)【要約】【課題】プレス成形時に紙シートの表層が裂けても、裂目が目立たず、美粧性が低下しないようにする。【解決手段】段ボールシートの成形トレーを製造する際、材料の段ボールシート２として、中芯紙３の両面に貼り付けたライナ４，５のうち、上面側のライナ５に、染色済の紙繊維を抄いたものを使用する。プレス成形に伴い、曲率半径の小さなコーナー部でライナ５が裂けても、その裂目６から見える紙繊維は染色されているので、裂目６が目立つことがなく、美粧性が維持される。【選択図】　図１
2004044047.tif 000002
【特許請求の範囲】
【請求項１】
紙繊維を抄いて製造した紙シートにおいて、原料として予め染色した紙繊維を用いたことを特徴とするプレス成形用紙シート。
【請求項２】
請求項１に記載の紙シートをプレスして所定形状に成形したことを特徴とする紙シート成形体。
【発明の詳細な説明】
【０００１】
【発明の属する技術分野】
この発明は、段ボール等の紙シートをプレスして成形したトレー等の成形体及びその材料となる紙シートに関するものである。
【０００２】
【従来の技術】
例えば、商品の包装用内装材として、図３及び図４に示すように、段ボールシートをプレス成形したトレー５０が使用されることがある。この材料となる段ボールシート５１には、中芯紙５２の両面にライナ５３，５４を貼り付け、一方のライナ５４の表面に印刷を施してインキ層５５を形成したものが使用される。
【０００３】
【発明が解決しようとする課題】
しかしながら、上記段ボールシート５１では、プレス成形に伴い、曲率半径の小さなコーナー部でライナ５４が裂けた場合、その裂目５６でインキ層５５が割れ、ライナ５４の地色が露出して、見栄えが悪くなるという問題があった。
【０００４】
そこで、この発明は、プレス成形時に表層が裂けても、裂目が目立たず、美粧性が低下しない紙シート及び成形体を提供しようとするものである。
【０００５】
【課題を解決するための手段】
上記課題を解決するため、この発明は、予め染色した紙繊維を抄いて紙シートを製造し、その紙シートをプレスして成形体を製造することとしたのである。
【０００６】
【発明の実施の形態】
以下、この発明の実施の形態を添付図面に基づいて説明する。
【０００７】
図１及び図２に示すトレー１は、段ボールシート２をプレス成形して製造されたものであり、段ボールシート２は、中芯紙３の両面にライナ４，５を貼り付けた構成とされている。
【０００８】
そして、トレー１の上面側となる段ボールシート２の一方のライナ５には、予め染色したパルプを抄いて製造したものが使用されている。
【０００９】
このような段ボールシート２を用いると、プレス成形に伴い、曲率半径の小さなコーナー部でライナ５が裂けても、その裂目６から見える紙繊維は染色されているので、裂目６が目立つことがなく、美粧性が維持される。
【００１０】
従って、ライナ用紙として、比較的伸び率の小さなものを使用して、美粧性を低下させることなく、コストダウンを図ることができる。また、古紙の解繊物を使用して、資源を有効に利用することもできる。
【００１１】
なお、ここでは、段ボールシートの成形体を例示したが、平らな板紙を複数枚積層した紙シートをプレス成形する場合にも、表層材料の板紙として、染色済の紙繊維を抄いたものを使用すると、同様の効果が得られる。
【００１２】
また、多層抄きの紙シートをプレスする場合には、表層側の原料となる紙繊維に染色したものを用いると、同様の効果が得られる。
【００１３】
【発明の効果】
以上のように、この発明では、紙シート成形体の製造に際し、材料となる紙シートを染色済みの紙繊維を抄いて製造し、その紙シートを所定形状にプレスすることとしたので、プレス成形時に紙シートの表層が裂けても、裂目が目立たず、成形体の美粧性が維持される。
【図面の簡単な説明】
【図１】この発明の実施形態に係る成形トレーの一部切欠斜視図
【図２】同上のコーナー部の拡大断面図
【図３】従来の成形トレーの斜視図
【図４】同上のコーナー部の拡大断面図
【符号の説明】
１　トレー
２　段ボールシート
３　中芯紙
４，５　ライナ
６　裂目
【図１】
2004044047.tif 000003
【図２】
2004044047.tif 000004
【図３】
2004044047.tif 000005
【図４】
2004044047.tif 000006
(57)【要約】【課題】古来袴は手縫いにて折り、ヒダは寝敷にて形をつける方法であった。現代でもそのなごりがありヒダ折はアイロンがけによるものである。今多くの人が使っている袴はほとんどスポーツに関するものである。剣道薙刀は激しく体を動かす、その為毎回洗濯をしなければならない、また弓道は蹲踞または正座を長時間する事が多くシワができる。其のため使用後たたみ難い、クリーニング屋に出さなければいけない、また出しても間違った折り目を付けられることが多い。【解決手段】袴の奥側ヒダに奥コバステッチ（５）をするだけで家庭にて洗濯ができる様になり、また簡単にたためる、特に学生など袴を見た事もない人が多数で礼儀作法も兼ねて毎回袴をたたむ事を身に付けるために、このコバステッチ（５）があればたたむのも苦にならない。【選択図】　図３
2004044049.tif 000002
【特許請求の範囲】
【請求項１】
袴の奥側ヒダの端をミシン等にて縫う。
武道用袴の奥側ヒダにコバステッチ（５）をかける事を特徴とするコバステッチのついた武道袴。
【発明の詳細な説明】
【０００１】
【発明の属する技術分野】
従来袴のヒダはアイロンで折り目をつけていただけの為に、激しい競技又はスポーツをして汗をかいたり、洗濯をすると袴のヒダ即ち折り目の線が分りにくくなり、そして消えて仕舞いそうになるのを防止する技術。
【０００２】
【従来の技術】
武道（特に弓道）袴の奥ヒダにはミシン掛けをしていない又一般の袴のヒダはアイロン掛けのみである。
【０００３】
【発明が解決しようとする課題】
（イ）　立ったり座ったり袴にシワがよる、その為使用後たたみ難い。
（ロ）　家庭での洗濯が出来にくく、クリーニング屋に出さなくてはいけなかった。
（ハ）クリーニング屋にだしても間違った折り目でアイロンがけをする事が多々ある。
上記の様な課題を解決する発明である。
【０００４】
【課題を解決するための手段】
武道袴の折り目の裏側にミシンにて約１．５ｍｍのステッチをかける事により解決する。
【０００５】
【発明の実施の形態】
袴のヒダの奥側にミシンにて約１．５ｍｍのステッチをかける事によりヒダの乱れが無くなり且つ使用方法は従来どうりの袴の着付け方で使用できる。
【０００６】
【発明の効果】
（イ）袴にシワがよっても奥コバステッチ（５）をしている為、使用後たたみ易い。
（ロ）家庭での洗濯ができ、クリーニング屋に出さなくても良い。
（ハ）クリーニング屋に出しても間違ったアイロンがけが無くなる。
上記の様に袴のヒダがとれ難くなり無駄な作業をしなくて済み経済的である。
【図面の簡単な説明】
【図１】正面図
【図２】断面図（Ａ−Ａ）
【図３】斜視図（裏面より）
【図４】断面図（奥ヒダのコバステッチ部）
【符号の説明】
１．前身衣腰ヒモ
２．左端前身衣
３．左端前ヒダ先
４．前身衣中心合せ
５．コバステッチ
６．右端前身衣
７．右側前身衣中心部分
Ａ．Ｂ．Ｃ．Ｄ．Ｅ　ヒダの先端
【図１】
2004044049.tif 000003
【図２】
2004044049.tif 000004
【図３】
2004044049.tif 000005
【図４】
2004044049.tif 000006
(57)【要約】【課題】夏に向かい、暑さの中で汗をかき下着が汗を吸い込み、トランクスパンツでは歩く程によれて持ち上がり、男性器自身が大腿と直接接触しさらに大腿同志が直接触合い、またずれを生じることもある。またブリーフでは、ステテコを着用しないとまたずれが発生するため、夏に向かって、それらを解消する下着を発明した。【解決手段】トランクスパンツの長所である風通しの良さで、ステテコを着用せずとも良い点と、ブリーフが男性器を適度に押さえ肌と男性器が直接接触しない長所を取り入れ、肌と男性器との間に遮断布を挿入する方法として、トランクスパンツ（２）の内側前面にポケット布地（１）を縫いつけ、ポケット布地（１）に窓を開けて、窓から男性器をポケットの中に収納して、汗を吸収させ、肌と男性器の直接接触をさけ、「またずれ」を防止することが可能になった。さらに、失禁症を病む人にとり、今までのゴワゴワしたおむつを着けるよりも、ポケットに給水剤を入れることにより、よりスマートに下着を着用できるようになる。給水剤には、女性の生理用品がとりあえず使用可能である。【選択図】図２
2004044050.tif 000002
【特許請求の範囲】
【請求項１】
下着パンツの、前面内側に、縦に窓をつけたポケット布地（１）をつけた前空きのトランクスパンツ（２）。
【発明の詳細な説明】
この発明は、前あきのトランクスパンツ（２）の前面内側に、縦に切り目（窓）を入れたポケット布地（１）を取り付け、その窓から男性器をポケットに収納し、ポケット布地（１）により、汗の吸収と蒸れをなくし、なおかつそのポケットに、失禁時の給水剤を入れられるようにしたトランクスパンツです。
従来、下着は夏場に向かい、汗で蒸れ、大腿の摩擦と男性器のべたつきにより、汗で持ち上がったり、トランクスパンツのよい面が半減されることが多い。本発明品は、その欠点を取りのぞき、男性器をトランクスパンツ内側前面のポケットに収納することで、男性器と腿の直接の接触を断ち、汗を吸い取り蒸れるのを防止出来る。
失禁症の人は、そのポケットに吸水剤を入れて、失禁の不快感をなくすことが出来る。
ブリーフは、その点では男性器と腿の直接接触を防止してくれるが、男性器を押さえすぎるという健康上の欠点がある。その不都合さを取り除くために、トランクスパンツとブリーフの長所を、組み込んだ下着パンツである。
ポケット布地（１）の上部には、スナップボタン（３）を取り付ける。ポケット布地（１）はトランクスパンツ（２）に縫い付けるため、前あきのトランクスパンツが、放尿時に比較的便利であるが、前あきではないトランクスパンツにも有効である。
【図面の簡単な説明】
【図１】発明の、ポケット布地（１）。
【図２】トランクスパンツ（２）を裏返して、縫い付けたポケット部分を図示したものである。
【図３】完成したトランクスパンツの表側前面の図
【符号の説明】
１はポケット布地　２はトランクスパンツ、３はスナップボタン。
【図１】
2004044050.tif 000003
【図２】
2004044050.tif 000004
【図３】
2004044050.tif 000005
(57)【要約】　　　（修正有）【課題】従来の排水溝に比べ安定度は高め、機能上も進歩した排水溝を提供することにある。【解決手段】左右側板１ｂ，１ｃと底板とから成る側溝部１と、側溝部に施す蓋２とから構成構成され、側溝部の左右側板間にわたって数本のロッド３を固定し、ロッドに形成した凹欠に入る突起を蓋の裏側に設け、かつ蓋の所要個所に穿った小孔６に入る蓋とびだし防止突子５を側板の内側に向け突出した蓋付き排水溝。【選択図】　　図１
2004044081.tif 000002
【特許請求の範囲】
【請求項１】
左右側板と底板とから成る側溝部と、側溝部に施す蓋とから構成構成され、側溝部の左右側板間にわたって数本のロッドを固定し、ロッドに形成した凹欠に入る突起を蓋の裏側に設け、かつ蓋の所要個所に穿った小孔に入る蓋とびだし防止突子を側板の内側に向け突出した蓋付き排水溝。
【請求項２】
左右側板から成る側溝部と、左右側板間に施す蓋とから構成される請求項１記載の蓋付き排水溝。
【発明の詳細な説明】
【０００１】
【発明の属する技術分野】
本発明は排水溝に係り、特に蓋付きの排水溝に関するものである。
【０００２】
【従来の技術】
路面その他の場内に軽量で小幅の排水溝を設け、これに蓋を施すが、従来この蓋ががたつき、跳び上がり安定しない、又蓋が左右にばらつき位置が定まらない欠点があった。
【０００３】
【発明が解決しようとする課題】
本発明の課題は、前記従来の欠点を除き安全かつ安定した機能のある排水溝を提供することにある。
【０００４】
【課題を解決するための手段】
本発明の手段は次のとおりである。
【０００５】
（Ａ）左右側板と底板とから成る側溝部と、側溝部に施す蓋とから構成構成され、側溝部の左右側板間にわたって数本のロッドを固定し、ロッドに形成した凹欠に入る突起を蓋の裏側に設け、かつ蓋の所要個所に穿った小孔に入る蓋とびだし防止突子を側板の内側に向け突出した蓋付き排水溝。
【０００６】
（Ｂ）左右側板から成る側溝部と、左右側板間に施す蓋とから構成される請求項１記載の蓋付き排水溝。
【０００７】
【発明の実施の形態】
図面を参照して本発明に係る蓋付き排水溝の構造を説明する。１は側溝部で底面１ａと左右両側板１ｂ，１ｃとから成り立つ、２は側溝部１に施す蓋である。蓋２は狭い間隔を存して数枚のメインバー２ａをプレート２ｃで並設してある。
【０００８】
側溝部１の左右側板１ｂ，１ｃ内面に蓋２を受支するロッド３を所要間隔置にわたして固定し、各ロッド３の表面に蓋２の裏側に突き出る突起４，４が嵌まる凹欠８を形成してある。５は側溝部側板１ｂ，１ｃに対設した蓋とび出し防止突子で蓋２の小穴６に係止して蓋の跳び上がりを防ぐ。７は蓋２と側溝部側板１ｂ，１ｃ間に圧入するスペーサーを示し、側溝部１と蓋２の一体化に協力し、助成する。
【０００９】
次に図６乃至図１０に示す実施態様は側溝部を左右側板のみにより構成したもので、底板は用いず、底面はコンクリート面又は土砂面が露出する。
【００１０】
尚側溝部には適当数の透水孔１２を穿つことが必要である。
【００１１】
【発明の効果】
本発明によれば蓋のがたつき及び跳び上がりを阻止し、或いはずれを防ぐことができ蓋の位置を側溝中央部に強制でき、非常に安全で、安定した排水溝を得る。しかも施行場所の安全性を向上し、シンプルで、美感上も良好となる。又底板を設けない場合は、底が開放されるため生コンクリート等によって底部を自由に設定できる。
【図面の簡単な説明】
【図１】斜視図。
【図２】ロッドの斜視図。
【図３】平面図。
【図４】一部の縦断側面図。
【図５】縦断正面図。
【図６】他の実施態様を示す斜視図。
【図７】ロッドの斜視図。
【図８】平面図。
【図９】一部の縦断側面図。
【図１０】縦断正面図。
【符号の説明】
１　　　　　側溝部
１ａ　　　　底面
１ｂ，１ｃ　側板
２　　　　　蓋
３　　　　　ロッド
４　　　　　突起
５　　　　　係止突子
６　　　　　穴
７　　　　　スペーサー
８　　　　　凹欠
【図１】
2004044081.tif 000003
【図２】
2004044081.tif 000004
【図３】
2004044081.tif 000005
【図４】
2004044081.tif 000006
【図５】
2004044081.tif 000007
【図６】
2004044081.tif 000008
【図７】
2004044081.tif 000009
【図８】
2004044081.tif 000010
【図９】
2004044081.tif 000011
【図１０】
2004044081.tif 000012